(57)【要約】【課題】  キャビネットにおける引出し前板又は扉に取り付けられる取っ手の操作性を向上させ、前板又は扉の面材サイズを共通化してコストを低減し、取っ手にタオル掛けを取り付けることが可能なシステムキッチンを提供する。【解決手段】  引出し又は扉の面材の上端面に、面材の幅と略同じ長さに設けられて、面材の上端に接する上面部と、面材の前方に位置する上面部の前端から面材の前面と離隔し下方に延びる操作面部とを有する取っ手と、取っ手にスライド可能に取り付けられる取付部と、取付部の前面から前方に突出する引っ掛け部と、を有するタオル掛けとを備え、操作面部の裏面に第１被係合部を設け、取付部に第１被係合部に係合する第１係合部を設け、操作面部の先端に係合する第２係合部を設け、第１被係合部と第１係合部、操作面部の先端と第２係合部とが係合してタオル掛けを保持するシステムキッチン。【選択図】  図２
2014200624.tif 000002
【特許請求の範囲】
【請求項１】
引出し及び扉の少なくとも一方が設けられたキャビネットを含むシステムキッチンにおいて、
前記引出し及び扉を構成する面材の上端面に、前記面材の幅と略同じ長さに設けられるものであって、前記面材の上端に接する上面部と、前記面材の前方に位置する前記上面部の前端から、前記面材の前面と離隔し下方に延びる操作面部と、を有する取っ手と、
前記取っ手にスライド可能に取り付けられる取付部と、前記取付部の前面から前方に突出してタオルを掛ける引っ掛け部と、を有するタオル掛けと、を備え、
前記操作面部の裏面に第１の被係合部を設けると共に、前記取付部には前記第１の被係合部に係合する第１の係合部を設けるとともに前記操作面部の先端に係合する第２の係合部を設け、
前記第１の被係合部と前記第１の係合部、前記操作面部の先端と前記第２の係合部とが係合して前記タオル掛けを左右方向にスライド可能に保持することを特徴とするシステムキッチン。
【請求項２】
引出し及び扉の少なくとも一方が設けられたキャビネットを含むシステムキッチンにおいて、
前記引出し及び扉を構成する面材の上端面に、前記面材の幅と略同じ長さに設けられるものであって、前記面材の上端に接する上面部と、前記面材の前方に位置する前記上面部の前端から、前記面材の前面と離隔し下方に延びる操作面部と、を有する取っ手と、
前記取っ手にスライド可能に取り付けられる取付部と、前記取付部の前面から前方に突出してタオルを掛ける引っ掛け部と、を有するタオル掛けと、を備え、
前記操作面部の裏面に被係合部を設けると共に、前記取付部には前記被係合部に係合する係合部と前記操作面部の前面に当接する当接部を設け、
前記被係合部と前記係合部とが係合し、前記当接部が前記操作面部の前面に当接して前記タオル掛けを左右方向にスライド可能に保持することを特徴とするシステムキッチン。
【請求項３】
前記取付部の上端面を、前記取っ手の上面部の裏面に近接させたことを特徴とする請求項１又は２に記載のシステムキッチン。
【発明の詳細な説明】
【技術分野】
【０００１】
本発明は、キャビネットにおける引出しの前板又は扉の上端に取っ手を設け、この取っ手にタオル掛けをスライド可能に取り付けたシステムキッチンに関するものである。
【背景技術】
【０００２】
システムキッチンや洗面台等におけるキャビネットの引出し前板又は扉の上端に取っ手を設け、この取っ手にタオル掛けをスライド可能に取り付けたものとして、下記特許文献１に記載されたものが提案されている。特許文献１に記載された扉は、その上端面に全幅に渡ってレールが設けられ、そのレールに係合する係合部を設けることで、タオル掛けを保持するものである。このレールは、取っ手としても機能するものである。
【先行技術文献】
【特許文献】
【０００３】
【特許文献１】特開２００９−４１３６４号公報
【発明の概要】
【発明が解決しようとする課題】
【０００４】
ところで、特許文献１に記載の扉が用いられるシステムキッチンでは、天板（カウンター）の前方には前垂れがある。キャビネットにおける引出し前板や扉の厚みは、前垂れの厚みより薄いため、キャビネットにおける引出し前板や扉の前端は、カウンターの前端よりも後方に位置している。そして、レールは、上述したように、引出し前板や扉の上端に設けられることから、取っ手として機能するレールはカウンターの前端よりも後方（奥側）に位置するものとなっている。このため、レールの持ち手部分がカウンターの前垂れより奥側に位置することとなり、加えて、レールはカウンターにおける前垂れの下方に近接して設けられていることから、取っ手としてのレールの引出し操作がしにくいという課題があった。
【０００５】
一方、システムキッチンに取り付ける取っ手として、レール状の取っ手の他に、引出しの前板又は扉の正面に取り付けるグリップ取っ手を選択する場合がある。グリップ取っ手は、前板又は扉の正面にブリッジ状を成すように取り付けられ、タオル掛けとしても利用することが可能なものである。レール状の取っ手は引出し前板又は扉の上端に取り付けるため、グリップ取っ手を取り付ける場合よりもレールの高さ分、引出し前板又は扉の高さを低くする必要がある。このため、システムキッチンに取り付ける取っ手の種類に応じて、引出し前板又は扉の高さを変えなければならず、引出し前板又は扉の材料コストが増加してしまう課題もあった。
【０００６】
本発明はこのような課題に鑑みてなされたものであり、その目的は、キャビネットにおける引出し前板又は扉に取り付けられる取っ手の操作性を向上させることができ、前板又は扉の面材サイズの共通化を図ることでコストの低減を図ることができると共に、取っ手の任意の位置にタオル掛けを取り付けることが可能なシステムキッチンを提供することにある。
【課題を解決するための手段】
【０００７】
本発明に係るシステムキッチンでは、引出し及び扉の少なくとも一方が設けられたキャビネットを含むシステムキッチンにおいて、前記引出し及び扉を構成する面材の上端面に、前記面材の幅と略同じ長さに設けられるものであって、前記面材の上端に接する上面部と、前記面材の前方に位置する前記上面部の前端から、前記面材の前面と離隔し下方に延びる操作面部と、を有する取っ手と、前記取っ手にスライド可能に取り付けられる取付部と、前記取付部の前面から前方に突出してタオルを掛ける引っ掛け部と、を有するタオル掛けと、を備え、前記操作面部の裏面に第１の被係合部を設けると共に、前記取付部には前記第１の被係合部に係合する第１の係合部を設けるとともに前記操作面部の先端に係合する第２の係合部を設け、前記第１の被係合部と前記第１の係合部、前記操作面部の先端と前記第２の係合部とが係合して前記タオル掛けを左右方向にスライド可能に保持することを特徴とする。
【０００８】
本発明では、取っ手の操作面部が、引出しの前板又は扉の前方に位置しているので、引出しの前板又は扉の上端に取っ手が位置する場合よりも、取っ手の操作性を向上させることができる。また、取っ手の上面部は、引出しの前板又は扉の上端に接して設けられ、取っ手の操作面部の裏面には、第１の被係合部が設けられている。そして、第１の被係合部がタオル掛けにおける取付部の第１の係合部と係合し、取っ手の操作面部の先端がタオル掛けにおける取付部の第２の係合部と係合することにより、タオル掛けを保持している。このため、タオル掛けは取っ手の上面部の上面までせり出した形状にする必要がなく、取っ手の上面とカウンターの下端とを近づけることができる。このため、取っ手とカウンターとの間に大きな隙間が生じることを抑制することができる。その結果、システムキッチン全体の意匠性を向上させることができる。
さらに、システムキッチンに取り付ける取っ手として、本発明の取っ手を採用した場合であっても、取っ手の高さ分、前板又は扉の高さを低くする必要がない。このため、システムキッチンに取り付ける取っ手として、本発明の取っ手又は従来のグリップ取っ手のいずれを選択したとしても、引出しの前板又は扉の高さは変わらないことになる。その結果、取っ手の種類に応じて、引出しの前板又は扉の材料寸法を変更する必要がなくなるので、コストの低減を図ることができる。
【０００９】
また、本発明に係るシステムキッチンでは、引出し及び扉の少なくとも一方が設けられたキャビネットを含むシステムキッチンにおいて、前記引出し及び扉を構成する面材の上端面に、前記面材の幅と略同じ長さに設けられるものであって、前記面材の上端に接する上面部と、前記面材の前方に位置する前記上面部の前端から、前記面材の前面と離隔し下方に延びる操作面部と、を有する取っ手と、前記取っ手にスライド可能に取り付けられる取付部と、前記取付部の前面から前方に突出してタオルを掛ける引っ掛け部と、を有するタオル掛けと、を備え、前記操作面部の裏面に被係合部を設けると共に、前記取付部には前記被係合部に係合する係合部と前記操作面部の前面に当接する当接部を設け、前記被係合部と前記係合部とが係合し、前記当接部が前記操作面部の前面に当接して前記タオル掛けを左右方向にスライド可能に保持することを特徴とする。
【００１０】
本発明では、取っ手の操作面部が、引出しの前板又は扉の前方に位置しているので、引出しの前板又は扉の上端に取っ手が位置する場合よりも、取っ手の操作性を向上させることができる。また、取っ手の上面部は、引出しの前板又は扉の上端に接して設けられ、取っ手の操作面部の裏面には、被係合部が設けられている。そして、被係合部がタオル掛けにおける取付部の係合部と係合し、取っ手の操作面部の前面にタオル掛けにおける取付部の当接部と当接することにより、タオル掛けを保持している。このため、タオル掛けは取っ手の上面部の上面までせり出した形状にする必要がなく、取っ手の上面とカウンターの下端とを近づけることができる。このため、取っ手とカウンターとの間に隙間が生じることを抑制することができる。その結果、システムキッチン全体の意匠性を向上させることができる。
さらに、システムキッチンに取り付ける取っ手として、本発明の取っ手を採用した場合であっても、取っ手の高さ分、前板又は扉の高さを低くする必要がない。このため、システムキッチンに取り付ける取っ手として、本発明の取っ手又は従来のグリップ取っ手のいずれを選択したとしても、引出しの前板又は扉の高さは変わらないことになる。その結果、取っ手の種類に応じて、引出しの前板又は扉の材料寸法を変更する必要がなくなるので、コストの低減を図ることができる。
【００１１】
また本発明に係るシステムキッチンにおいて、前記取付部の上端面を、前記取っ手の上面部の裏面に近接させることも好ましい。
【００１２】
この好ましい態様では、タオル掛けの引っ掛け部に下向きに大きな荷重がかかると、タオル掛けに反時計回り方向のモーメントがかかり、タオル掛けの係合部と取っ手の被係合部との係合が外れる方向に回転しようとしても、タオル掛けの上端が取っ手の上面部の裏面に直ちに当接してタオル掛けの回転を規制するので、タオル掛けの係合部が、取っ手の被係合部から外れるのを抑制することができる。
【発明の効果】
【００１３】
本発明によれば、キャビネットにおける引出し前板又は扉に取り付けられる取っ手の操作性を向上させることができるシステムキッチンを提供することができる。また、システムキッチンに取り付ける取っ手の種類に応じて、引出し前板又は扉の高さを変える必要がないため、引出し前板又は扉のコストの低減を図ることができるシステムキッチンを提供することができる。
【図面の簡単な説明】
【００１４】
【図１】本発明の実施形態に係るシステムキッチンの構成を概略的に示す斜視図である。
【図２】図１のＡ方向から見た側面図である。
【図３】図２に示したシステムキッチンの変形例を示す図である。
【発明を実施するための形態】
【００１５】
以下、本発明の実施形態について添付図面を参照しながら説明する。図１は、本発明の実施形態におけるシステムキッチン１を概略的に示す斜視図である。
【００１６】
システムキッチン１は、複数の収納庫（キャビネット）を備えている。複数の収納庫は、システムキッチン１に向かって右側から順に、シンクキャビネット１０と、ベースキャビネット２０と、レンジキャビネット３０とから構成されている。シンクキャビネット１０、ベースキャビネット２０及びレンジキャビネット３０は、その高さ及び奥行を等しくして設けられている。また、シンクキャビネット１０、ベースキャビネット２０及びレンジキャビネット３０には、それぞれ高さが等しいスライド式の引出し１１又は扉が上下２つずつ設けられている。
【００１７】
続いて、図２を参照しながらシステムキッチン１に設けられる取っ手５０と、取っ手５０に取り付けられるタオル掛け４０について更に説明する。図２は、図１のＡ方向から見た側面図であって、取っ手５０の被係合部５５，５６がタオル掛け４０の係合部４５，４７に係合している様子を示す図である。
【００１８】
取っ手５０は、引出し１１の前板１２又は扉１２の上端１２ｃと、カウンター１５の下端１５ｂとの間に設けられている。取っ手５０は、引出し１１の前板１２又は扉１２と横幅が同じ寸法で形成され、システムキッチン１全体で取っ手５０が一本に繋がるように設けられている。取っ手５０は、上面部５１と、操作面部５２と、背面部５３とから構成される。上面部５１は、引出し１１の前板１２又は扉１２の上端１２ｃに接し、カウンター１５の下端１５ｂに近接して設けられている。操作面部５２は、引出し１１の前板１２又は扉１２の前方に位置する上面部５１の前端５１ａから、前板１２又は扉１２の前面１２ａと離隔しながら下降するように延びて設けられている。背面部５３は、上面部５１における後方に位置する後端５１ｂから、引出し１１の前板１２又は扉１２の背面１２ｂに接して下降するように延びて設けられている。
【００１９】
また、操作面部５２の裏面５４には、第１の被係合部５５が設けられている。第１の被係合部５５は、操作面部５２の裏面５４から背面部５３に向けて突出する突起で形成されている。第１の被係合部５５が、後述するタオル掛け４０の第１の係合部４５と係合することで、タオル掛け４０の上下方向の動きを規制するように保持することができる。第１の被係合部５５は、例えば操作面部５２の裏面５４の上部に設けることができる。このように構成することにより、指を取っ手５０の操作面部５２と前板１２又は扉１２との間に入れた場合でも、指先に第１の被係合部５５が触れないようにすることができる。
【００２０】
さらに、取っ手５０の操作面部５２は、その下端部が第２の被係合部５６となっている。この取っ手５０の第２の被係合部５６がタオル掛け４０の第２の係合部と係合することで、タオル掛け４０の前後方向（図２の紙面上では左右方向）の動きを規制するように保持することができる。
【００２１】
このような構造により、タオル掛け４０は、取っ手５０に対して上下方向及び左右方向の動きを規制されて保持されるので、ぐらつきが少ない安定した保持構造となる。なお、タオル掛け４０は、取っ手５０の横方向から挿入して、係合部４５，４７と被係合部５５，５６に係合させて保持される。
【００２２】
なお、取っ手５０の前端（操作面部の前端５２ａ）は、カウンター１５の前端１５ａと一致している。換言すれば、取っ手５０の前端５２ａは、カウンター１５の前端１５ａより前方に飛び出さないように形成されている。このため、調理や洗い物をする際に、取っ手５０に衣類が引っかかったり、体がぶつかったりすることを抑制することができ、操作性が良好となる。また、取っ手５０は、システムキッチン１全体の横幅に一本に繋がって見えるため、システムキッチン１全体の意匠性を向上させることができる。
【００２３】
また、本発明の取っ手５０は、コストの増加を抑えることができる。本発明の取っ手５０は、引出し１１の前板１２又は扉１２の上端１２ｃに設けられている。また、取っ手５０は、前板１２又は扉１２の全幅に亘って設けられている。このため、前板１２又は扉１２の上端１２ｃが露出しないので、上端に縁張り材を張る必要がなくなる。その結果、縁張り工程の削減をすることができるのでコストの低減を図ることができる。
【００２４】
また、従来の取っ手である、レール状の取っ手では、レール状の取っ手の高さ分、引出し１１の前板１２又は扉１２の高さを低くする必要がある。このため、グリップ取っ手又はレール状の取っ手のうち、選択した取っ手の種類に応じて、前板１２又は扉１２の材料寸法を変える必要がでてくるので、材料コストの増加の要因となっていた。
【００２５】
これに対し、本発明の取っ手５０は、その上面部５１が引出し１１の前板１２又は扉１２の上端１２ｃに接して設けられている。このため、取っ手５０の高さ分、引出し１１の前板１２又は扉１２の高さを低くする必要がない。その結果、本発明の取っ手又はグリップ取っ手のいずれを選択したとしても、前板１２又は扉１２の寸法は同一となるため、材料コストの低減を図ることができる。
【００２６】
次に、タオル掛け４０について説明する。図２に示すように、タオル掛け４０は、引出し１１の前板１２又は扉１２の前方に位置している。タオル掛け４０は、取付部４１と、取付部４１の前面から前方に突出する引っ掛け部４２とを備えている。取付部４１上部における操作面部５２側の面４１ａには凹部４１ｄが形成されている。この凹部４１ｄの前面には、取っ手５０の第１の被係合部５５に係合する第１の係合部４５が形成されている。第１の係合部４５は、取付部４１の凹部４１ｄの前面からさらに凹んだ形状を有し、取っ手５０の第１の被係合部５５に係合する形状を有している。また、この凹部４１ｄの底面には、取っ手５０の第２の被係合部５６に係合する第２の係合部４７が形成されている。第２の係合部４７は、取付部４１の凹部４１ｄの底面からさらに下方に凹ませた溝形状であり、取っ手５０の第１の被係合部５５に係合する形状を有している。
【００２７】
また、取付部４１の下部には、引っ掛け部４２が繋がっている。引っ掛け部４２は、タオル７０を掛けることができるバー（図示せず）を有している。
【００２８】
そして、取っ手５０の第１の被係合部５５が、タオル掛け４０の第１の係合部４５と係合し、第２の被係合部５６が、第２の係合部４７と係合すると、タオル掛け４０の取付部４１の背面４１ｂは、引出し１１の前板１２又は扉１２の表面との間に隙間Ｓを介して相対する姿勢となる。取っ手５０はタオル掛け４０を横方向にスライド可能に支持している。
【００２９】
このように、タオル掛け４０は、タオル掛け４０の取付部４１の係合部４５，４７が、取っ手５０の被係合部５５，５６に係合するのみで、取っ手５０に保持されるように構成されている。このため、タオル掛け４０のスライド時に、タオル掛け４０の取付部４１が、前板１２又は扉１２の表面を摺らないので、前板１２又は扉１２の表面に傷がつくことを防ぐことができる。
【００３０】
また、タオル掛け４０は、取っ手５０の操作面部５２の裏面の第１の被係合部５５と、操作面部５２の下端とに係合させている。そのため、タオル掛け４０を取っ手５０にしっかり係合させるために、取付部４１を、取っ手５０の上面部５１の上面までせり出した形状にする必要がない。よって、タオル掛け４０は取っ手５０の上面部５１の上面までせり出した形状にする必要がなく、取っ手５０の上面部５１の上面とカウンター１５の下端１５ｂとを近づけることができる。このため、取っ手５０とカウンター１５との間に大きな隙間が生じることを抑制することができる。その結果、システムキッチン全体の意匠性を向上させることができる。
【００３１】
さらに、タオル掛け４０は、その上端４１ｃを取っ手５０の上面部５１の裏面に近接させている。タオル掛け４０は、その引っ掛け部４２に下向きに大きな荷重がかかると、図２の紙面上でタオル掛け４０に反時計回り方向のモーメントがかかり、タオル掛け４０の係合部４５，４７と取っ手の被係合部５５，５６との係合が外れる方向に回転しようとする。しかし、タオル掛け４０の上端４１ｃが取っ手５０の上面部５１の裏面に直ちに当接してタオル掛け４０の回転を規制するので、タオル掛け４０の係合部４５，４７が、取っ手５０の被係合部５５，５６から外れるのを抑制することができる。
【００３２】
次に、図３を参照しながら、本実施形態の変形例について説明する。
図３は、図１のＡ方向から見た側面図であって、取っ手５０の第１の被係合部５５がタオル掛け４０Ａの第１の係合部４５に係合している様子を示す図である。
この変形例においては、タオル掛け４０Ａに、第２の係合部４７を設ける代わりに、取っ手５０の操作面部５２の前面５２ａに当接する当接部４６を設けている。この当接部４６は、タオル掛け４０Ａの取付部４１Ａに形成された凹部４１ｄの底面からさらに下方に凹ませた溝部の前側の面である。
【００３３】
操作面部５２の前面５２ａには、タオル掛け４０Ａの当接部４６が当接する。タオル掛け４０Ａに、図２の紙面上で時計回り方向あるいは反時計回り方向のモーメントがかかると、タオル掛け４０Ａが時計回りあるいは反時計回りに回転しようとする。しかし、取っ手５０とタオル掛け４０Ａとは、取っ手５０の操作面部５２の裏面において、係合部４５と被係合部５５とが係合しつつ、取っ手５０の操作面部５２の前面５２ａにおいては、その前面５２ａと当接部４６が当接する。これにより、タオル掛け４０Ａに上下方向の力がかかっても、第１の係合部４５が、取っ手５０の第１の被係合部５５から外れるのを抑制することができる。
【００３４】
このような構造によっても、タオル掛け４０Ａは、取っ手５０に対してぐらつきが少ない安定した保持構造とすることができる。
【００３５】
以上、本発明の実施例を説明したが、これは本発明の説明のための例示であって、本発
明の範囲をこの実施例にのみ限定する趣旨ではない。本発明は、他の種々の実施例でも実
施することが可能である。
【符号の説明】
【００３６】
１：システムキッチン
１５：カウンター
１２：前板
４０、４０Ａ：タオル掛け
４１：取付部
４２：引っ掛け部
４５：第１の係合部
４６：当接部
４７：第２の係合部
５０：取っ手
５１：上面部
５２：操作面部
５３：背面部
５５：第１の被係合部
５６：第２の被係合部
【図１】
2014200624.tif 000003
【図２】
2014200624.tif 000004
【図３】
2014200624.tif 000005